(57)【特許請求の範囲】
【請求項１】
絶縁距離を確保して幅方向に平行に並設されたＲ，Ｓ，Ｔ相の主幹バーの先端部近傍を支持する支持部と、前記主幹バー間を隔離する隔壁が設けられたクリートにおいて、前記Ｓ相の主幹バーを前記Ｒ，Ｔ相の主幹バーより延設して端部に端子部を設け、前記Ｒ，Ｔ相の主幹バーの端部と一端に端子部が設けられた接続バーを端子部が前記Ｒ，Ｔ相の主幹バーより外側となるようにして前記支持部で夫々接続固定し、前記隔壁を前記接続バーの幅方向端縁が当接するように前記主幹バーのＳ相の外側方向に延設したことを特徴とするクリート。
【請求項２】
前記隔壁を前記Ｒ，Ｔ相の主幹バーの投影面の幅寸法以上に延設し、前記接続バーの端子部に接続される電線の圧着端子が当接するようにしたことを特徴とする請求項１に記載のクリート。
【請求項３】
前記Ｒ，Ｔ相の主幹バーの下側に前記接続バーを設け、該接続バーの端子部に接続される電線の圧着端子が当接するようにしたことを特徴とする請求項１又は請求項２に記載のクリート。
【発明の詳細な説明】
【０００１】
【産業上の利用分野】
本発明は、分電盤内部に配置された主幹バーを支持固定するためのクリートに関する。
【０００２】
【従来の技術】
従来、図４及び図５に示すようにクリート２１は、略円筒状に形成され、Ｒ，Ｓ，Ｔ相の主幹バー２２，２３，２４を幅方向に平行に並設し、主幹バー２２，２３，２４を夫々のクリート２１，２１，２１に載置して螺着固定し、クリート２１を分電盤（図示せず）の内部のパネル２５に螺着固定していた。また、Ｒ，Ｓ，Ｔ相の主幹バー２２，２３，２４の先端はクリート２１より直状に延設されて端子部２６が設けられ、端子部２６には電線２７の圧着端子２８が一個の端子ねじ２９により螺着固定されていた。この時に端子部２６に接続した電線２７及び主幹バー２２，２３，２４の充電部間は絶縁距離を確保しなければならず、端子部２６に太い電線２７を固定する場合は圧着端子２８も大きくなり、それに伴って主幹バー２２，２３，２４間も距離を十分にとる必要があるため、クリート２１及び主幹バー２２，２３，２４が配設される分電盤が大型化するという欠点があった。
【０００３】
この欠点を解消するために図６に示すクリート３１がある。クリート３１は略円筒状に形成され、Ｒ，Ｓ，Ｔ相の主幹バー３２，３３，３４を幅方向に平行に並設し、主幹バー３２，３３，３４を夫々のクリート３１，３１，３１に載置して螺着固定し、クリート３１を分電盤の内部のパネル３５に螺着固定する点では前述のクリート２１と同様であるが、クリート３１は、クリート３１より直状に延設された主幹バー３２，３３，３４の先端に設けられた端子部３６に電線３７を固定する際に、圧着端子３８を二個の端子ねじ３９，３９により端子部３６に螺着固定することにより、電線３７の回動を防止して充電部間の絶縁距離を最小限にし、分電盤の小型化を図っている。しかし、太い電線３７を接続しようとすると端子部３６，３６，３６間が狭いため、配線作業がしづらいという欠点があった。
【０００４】
更にこの欠点を解消するために図７に示すクリート４１がある。このクリート４１も略円筒状に形成され、Ｒ，Ｓ，Ｔ相の主幹バー４２，４３，４４を幅方向に平行に並設し、主幹バー４２，４３，４４を夫々のクリート４１，４１，４１に載置して螺着固定し、クリート４１を分電盤の内部のパネル４５に螺着固定する点では前々述のクリート２１と同様であるが、クリート４１は、Ｒ，Ｔ相の主幹バー４２，４４の先端をクリート４１，４１より直状に延設して、先端部にＳ相の主幹バー４３の外側方向に略直角に二個の螺子４６，４６を用いて一端に端子部４７を有する接続バー４８が夫々固定されている。また、Ｓ相の主幹バー４３はクリート４１より直状に延設されて端子部４９が設けられ、これらの端子部４７，４９，４７には電線５０が一個の端子ねじ５１により螺着固定されている。主幹バー４２，４３，４４にはブレーカ５２等の機器が分岐バー５３，５３，５３により接続され、ブレーカ５２の二次側は電線を接続するための配線スペースを必要とするため、分電盤の小型化には主幹バー４２，４３，４４の間隔を狭くした方が良いが、ブレーカ５２より上側のスペースは幅方向に十分なスペースを確保できるため、主幹バー４２，４４に略直角に接続バー４８を設けても分電盤は大型化しない。このため、端子部４７，４９，４７間は十分な距離を確保でき、太い電線５０を接続する場合でも配線作業を良好に行うことができる。
【０００５】
【発明が解決しようとする課題】
しかしながら、上記従来のクリートは、主幹バーとクリートの固定及び主幹バーと接続バーの固定が異なる箇所で夫々行われるため、主幹バーをクリートに固定する際に一個の螺子を使用し、主幹バーと接続バーを接続する際に二個の螺子を使用しており、部品点数が多くなるとともに、主幹バーと接続バーは螺子が挿通するための螺子挿通孔を多数穿設する必要があり、作業手順が多いという欠点があった。
【０００６】
【課題を解決するための手段】
上記従来のクリートの問題点に鑑み、本発明の目的は、部品点数を削減するとともに作業の省力化を図ることができるクリートを提供するもので、その構造は、絶縁距離を確保して幅方向に平行に並設されたＲ，Ｓ，Ｔ相の主幹バーの先端部近傍を支持する支持部と、主幹バー間を隔離する隔壁が設けられたクリートにおいて、Ｓ相の主幹バーをＲ，Ｔ相の主幹バーより延設して端部に端子部を設け、Ｒ，Ｔ相の主幹バーの端部と一端に端子部が設けられた接続バーを端子部がＲ，Ｔ相の主幹バーより外側となるようにして支持部で夫々接続固定し、隔壁を接続バーの幅方向端縁が当接するように主幹バーのＳ相の外側方向に延設したことである。
【０００７】
また、隔壁をＲ，Ｔ相の主幹バーの投影面の幅寸法以上に延設し、接続バーの端子部に接続される電線の圧着端子が当接するようにしたことである。
【０００８】
また、Ｒ，Ｔ相の主幹バーの下側に接続バーを設け、接続バーの端子部に接続される電線の圧着端子が当接するようにしたことである。
【０００９】
【発明の実施の形態】
請求項１に記載のクリートによれば、絶縁距離を確保して幅方向に平行に並設されたＲ，Ｓ，Ｔ相の主幹バーの先端部近傍を支持する支持部と、主幹バー間を隔離する隔壁が設けられたクリートにおいて、Ｓ相の主幹バーをＲ，Ｔ相の主幹バーより延設して端部に端子部を設け、Ｒ，Ｔ相の主幹バーの端部と一端に端子部が設けられた接続バーを端子部がＲ，Ｔ相の主幹バーより外側となるようにして支持部で夫々接続固定し、隔壁を接続バーの幅方向端縁が当接するように主幹バーのＳ相の外側方向に延設したことにより、延設した隔壁に接続バーを当接させることで位置決めが容易にでき、更に延設した隔壁は接続バーが異極方向への回動を防止して確実に絶縁距離を確保することができ、主幹バーと接続バーとクリートを１個の螺子で同時に固定するため、部品点数を削減するとともに作業の省力化を図ることができる。
【００１０】
請求項２に記載のクリートによれば、隔壁をＲ，Ｔ相の主幹バーの投影面の幅寸法以上に延設し、接続バーの端子部に接続される電線の圧着端子が当接するようにしたことにより、接続バーの端子部に接続する電線の圧着端子が異極方向に回動するのを防止して絶縁距離を確実に確保することができ、接続バーに電線を１個の螺子で螺着固定できるので部品点数を削減するとともに作業の省力化を図ることができる。
【００１１】
請求項３に記載のクリートによれば、Ｒ，Ｔ相の主幹バーの下側に接続バーを設け、接続バーの端子部に接続される電線の圧着端子が当接するようにしたことにより、接続バーの端子部に接続する電線の圧着端子が異極方向に回動するのを防止することができ、接続バーに電線を１個の螺子で螺着固定できるので部品点数を削減するとともに作業の省力化を図ることができる。
【００１２】
【実施例】
本発明に係るクリートの実施例を図１〜図２の添付図面に基づいて説明する。
【００１３】
クリート１は、分電盤（図示せず）の内部に左右方向に絶縁距離を確保して順に配置される電圧極であるＲ相の主幹バー２と中性極であるＳ相の主幹バー３と電圧極であるＴ相の主幹バー４の夫々の先端部を支持する支持部５，５，５が設けられ、支持部５，５間に主幹バー２，３，４と平行に主幹バー２，３，４を夫々隔離するための隔壁６，６が形成され、隔壁６，６はＳ相の主幹バー３の外側方向に略直角にＲ，Ｔ相の主幹バー２，４の投影面の幅寸法と略同一位置まで延設されている。
【００１４】
Ｒ，Ｓ，Ｔ相の主幹バー２，３，４は支持部５，５，５に固定するために螺子７が挿通するための螺子挿通孔（図示せず）が夫々穿設され、クリート１の夫々の支持部５，５，５にはナット（図示せず）を嵌合させるための凹部８が形成され、この凹部８にナットを嵌合させている。
【００１５】
Ｒ，Ｔ相の主幹バー２，４の先端の下側には接続バー９が設けられる。そのため、Ｒ，Ｔ相の主幹バー２，４を支持するクリート１の支持部５，５はＳ相の主幹バー３を支持する支持部５に比べて接続バー９の板厚の分だけ低く形成されている。接続バー９は短尺平板状で一端に端子部１０が形成され、他端は螺子７が挿通するための螺子挿通孔（図示せず）が穿設されている。接続バー９はＲ，Ｔ相の主幹バー２，４に略直角に配置するために他端を隔壁６に当接させて位置決めしてクリート１の支持部５に載置され、接続バー９の上面に主幹バー２，４を載置して主幹バー２，４の螺子挿通孔と接続バー９の螺子挿通孔に螺子７を挿通させてナットに締め付け固定される。
【００１６】
Ｓ相の主幹バー３は支持部５に載置され、螺子挿通孔に螺子７を挿通させてナットに締め付け固定されている。また、Ｓ相の主幹バー３の先端はクリート１より直状に延設されて先端に端子部１１が設けられている。
【００１７】
クリート１の主幹バー２，３，４間に形成された隔壁６，６にはねじ孔１２が夫々穿設され、クリート１は分電盤の内部に配置し、固定ねじ（図示せず）をねじ孔１２に挿通させて分電盤の内部に締め付け固定される。
【００１８】
端子部１０，１１，１０には先端に圧着端子１３が取り付けられた電線１４を接続する。夫々の端子部１０，１１，１０には端子ねじ１５が螺着可能にタップ孔（図示せず）が穿設され、電線１４は圧着端子１３に端子ねじ１５を挿通させてタップ孔に螺着固定される。圧着端子１３は一個の端子ねじ１５により固定されているために端子ねじ１５の締め付けが緩いと回動するが、電線１４が異極方向へ回動しても圧着端子１３が隔壁６の側面に当接するため、確実に絶縁距離を確保することができる。また、接続バー９を主幹バー２，４の下側に設けているため、電線１４が異極方向へ回動しても主幹バー２，４の側面に当接し、電線１４が異極方向へ回動するのを防止することができる。また、端子部１０，１１，１０に太い電線を接続する場合でも端子部１０，１１，１０間は十分な距離があるため配線作業を良好に行うことができる。
【００１９】
尚、本実施例において、Ｓ相の主幹バーの外側方向に延設した隔壁を略直角に形成したが、図３に示すようにクリート１の隔壁６はＳ相の主幹バー３の外側方向に延設していれば斜めに形成しても良く、また、Ｓ相の主幹バーの外側方向に延設した隔壁を主幹バーの投影面の幅寸法と略同一位置まで延設しなくても何ら問題ない。
【００２０】
【発明の効果】
以上のように本発明に係るクリートは、絶縁距離を確保して幅方向に平行に並設されたＲ，Ｓ，Ｔ相の主幹バーの先端部近傍を支持する支持部と、主幹バー間を隔離する隔壁が設けられたクリートにおいて、Ｓ相の主幹バーをＲ，Ｔ相の主幹バーより延設して端部に端子部を設け、Ｒ，Ｔ相の主幹バーの端部と一端に端子部が設けられた接続バーを端子部がＲ，Ｔ相の主幹バーより外側となるようにして支持部で夫々接続固定し、隔壁を接続バーの幅方向端縁が当接するように主幹バーのＳ相の外側方向に延設したことにより、延設した隔壁に接続バーを当接させることで位置決めが容易にでき、更に延設した隔壁は接続バーが異極方向への回動を防止して確実に絶縁距離を確保することができ、主幹バーと接続バーとクリートを１個の螺子で同時に固定するため、部品点数を削減するとともに作業の省力化を図ることができるという優れた効果を有するものである。
【００２１】
また、隔壁をＲ，Ｔ相の主幹バーの投影面の幅寸法以上に延設し、接続バーの端子部に接続される電線の圧着端子が当接するようにしたことにより、接続バーの端子部に接続する電線の圧着端子が異極方向に回動するのを防止して絶縁距離を確実に確保することができ、接続バーに電線を１個の螺子で螺着固定できるので部品点数を削減するとともに作業の省力化を図ることができるという効果がある。
【００２２】
また、Ｒ，Ｔ相の主幹バーの下側に接続バーを設け、接続バーの端子部に接続される電線の圧着端子が当接するようにしたことにより、接続バーの端子部に接続する電線の圧着端子が異極方向に回動するのを防止することができ、接続バーに電線を１個の螺子で螺着固定できるので部品点数を削減するとともに作業の省力化を図ることができるという効果がある。
【図面の簡単な説明】
【図１】  本発明に係るクリートを示す斜視図である。
【図２】  本発明に係るクリートに主幹バー及び接続バー及び電線を固定した様子を示す斜視図である。
【図３】  本発明に係るクリートの変形実施例を示す斜視図である。
【図４】  従来のクリートを示す平面図である。
【図５】  従来のクリートを分電盤の内部に配置した様子を示す正面図である。
【図６】  従来のクリートを分電盤の内部に配置した様子を示す正面図である。
【図７】  従来のクリートを分電盤の内部に配置した様子を示す正面図である。
【符号の説明】
１      クリート
２      Ｒ相の主幹バー
３      Ｓ相の主幹バー
４      Ｔ相の主幹バー
５      支持部
６      隔壁
７      螺子
８      凹部
９      接続バー
１０    端子部
１１    端子部
１２    ねじ孔
１３    圧着端子
１４    電線
１５    端子ねじ
【図１】
0004435914.tif 000002
【図２】
0004435914.tif 000003
【図３】
0004435914.tif 000004
【図４】
0004435914.tif 000005
【図５】
0004435914.tif 000006
【図６】
0004435914.tif 000007
【図７】
0004435914.tif 000008